(57)【要約】【課題】  流量の変化による温水の変化を緩やかにする。【解決手段】  水を加熱するシーズヒータ１と、シーズヒータ１の外周に第一の水路Ａを構成する第一の通水管２と、第一の通水管２の外周に第二の水路Ｂを構成する第二の通水管４と、第一の水路Ａに水を供給するため第一の通水管２の一端側に接続された給水管３と、第二の水路Ｂから水を排出するため給水管３とは反対側の第二の通水管４に接続された排出管５とを設け、第一の通水管２には第一の水路Ａと第二の水路Ｂとを連通するための複数の穴２ａを設け、穴２ａは給水管３側の穴径に対して排出管５側の穴径を大きく設けたものである。【選択図】図１
2018037248.tif 000002
【特許請求の範囲】
【請求項１】
水を加熱するシーズヒータと、
該シーズヒータの外周に第一の水路を構成する第一の通水管と、
該第一の通水管の外周に第二の水路を構成する第二の通水管と、
前記第一の水路に水を供給するため前記第一の通水管の一端側に接続された給水管と、
前記第二の水路から水を排出するため前記給水管とは反対側の前記第二の通水管に接続された排出管とを設け、
前記第一の通水管には前記第一の水路と前記第二の水路とを連通するための複数の穴を設け、該穴は給水管側の穴径に対して排出管側の穴径を大きく設けたことを特徴とする流水加熱ヒータユニット。
【発明の詳細な説明】
【技術分野】
【０００１】
本発明は、シーズヒータを熱源とした流水加熱ユニットに関するものである。
【背景技術】
【０００２】
従来は、例えば特許文献１に示すように直線のヒータの外周にヒータの一端側から他端側に流れる水路を設けた水を流しながら加熱する加熱器が公開されている。
【先行技術文献】
【特許文献】
【０００３】
【特許文献１】特開２００５-２２６８９７号公報
【発明の概要】
【発明が解決しようとする課題】
【０００４】
このような加熱器においては、急激な水の流れの変化により水温が急変する課題がある。
【０００５】
例えば、一般家庭において、一方の水道の蛇口を全開にすると他方の水道から流していた水の流れが少なくなる場合が有る。そのような時、前記他方側に前記加熱器を接続して水を加熱していた場合は、水の流量が減ることで水温が上昇し、反対に流量が増えた時は水温が下降する。
【課題を解決するための手段】
【０００６】
本発明は、上記の課題を解決するたになされたもので、水を加熱するシーズヒータと、該シーズヒータの外周に第一の水路を構成する第一の通水管と、該第一の通水管の外周に第二の水路を構成する第二の通水管と、前記第一の水路に水を供給するため前記第一の通水管の一端側に接続された給水管と、前記第二の水路から水を排出するため前記給水管とは反対側の前記第二の通水管に接続された排出管とを設け、前記第一の通水管には前記第一の水路と前記第二の水路とを連通するための複数の穴を設け、該穴は給水管側の穴径に対して排出管側の穴径を大きく設けたものである。
【発明の効果】
【０００７】
シーズヒータと通水管で水路を作ることで流水を効率良く加熱出来ると共に、シーズヒータの外郭に作った水を加熱する水路とこの水路の外側に水の混合を効率よく行うための水路を設ける事で、流量の変化による温水の変化を緩やかにする。
【図面の簡単な説明】
【０００８】
【図１】本発明の構造を説明する説明図。
【図２】本発明の水の流れを説明する説明図。
【発明を実施するための形態】
【０００９】
図１に本発明の構成を示し、図２に水の流れを示す。
【００１０】
２０は流水加熱ヒータユニットの本体。
【００１１】
１はシーズヒータで、ヒータ線８をコイル状に加工し電極棒９へ溶接し、オーステナイト系ステンレスパイプ１０に前記ヒータ線８を挿入し粉末絶縁材１１を内部に充填し、充填密度を上げるためパイプ１０の外径を減径し端末をガラス１２で封止したものである。シーズヒータ１は被加熱物となる水を加熱する。
【００１２】
このシーズヒータ１のパイプ１０の外周に第一の水路Ａを設けるようにシーズヒータ１の長手方向にオーステナイト系ステンレス又はフェライト系ステンレス製の第一の通水管２を設け、この第一の通水管２の両端側はオーステナイト系ステンレス製のキャップ６で封印し、このキャップ６によりシーズヒータ１から第一の通水管２を同心円状に保持している。固定はシーズヒータ１と第一の通水管２とＮｉロウで水密接合している。また第一の通水管２には複数の穴２ａを設けている。
【００１３】
この第一の通水管２の外周に第二の水路Ｂを設けるように第二の通水管４が設けられ、第一の通水管２と第二の通水管４との両端側の開口部は外郭４ａで封しされている。
【００１４】
前記シーズヒータ１の外周には二層の水路が設けられ、具体的にはシーズヒータ１と接する前記第一の水路Ａと、該第一の水路Ａの外側に前記第二の水路Ｂが設けられ、前記第一の水路Ａと前記第二の水路Ｂとは前記穴２ａで連通している。次に第一の水路Ａに給水を行う給水管３はシーズヒータ１の一端側の第一の通水管２に設けられ給水管３から流入する水は前記第一の水路Ａに流入する。排出管５はシーズヒータ１の他端側の第二の通水管４に設けられ前記第二の水路Ｂを流れてきた水はこの排出管５より排出される。前記給水管３と排出管５の固定は溶接によって固定している。そして、前記穴２ａは給水管３から排出管５の間に複数個設けられ、給水管３から排出管５に向かうほど穴径が大きくなっている。こうすることにより給水管３側の小さい穴２ａからは、加熱されない温度の低い水が速い流速で前記第一の水路Ａから前記第二の水路Ｂへと流れ出し、排出管５側の大きい穴２ａからは加熱された温度の高い水が遅い速度で前記第一の水路Ａから前記第二の水路Ｂへと流れ出し、流速の異なる温水が第二の水路Ｂ内で効率よく混合される。
【００１５】
本実施例は、以上の構成からなり、次に動作について説明する。
【００１６】
本体２０を使用して水を加熱している時に、何らかの理由で本体２０の給水管３に流入する水量が減少した場合について説明する。
【００１７】
シーズヒータ１への供給電力が一定の状態で給水管３側から流入してくる水の流量が減少した場合、本体２０に流入した水は第一の水路Ａと第二の水路Ｂを流れる速度が遅くなり、シーズヒータ１によって加熱され水の単位時間当たりの熱量が上昇する。
【００１８】
本発明では、第一の水路Ａと第二の水路Ｂにおいて水の流れが遅くなった時、シーズヒータ１に直接接する第一の水路Ａを流れている水は、水の流れの速度の変化に応じてシーズヒータ１により加熱される度合いが変化して水の温度は変化する。第一の水路Ａの外周に設けられている第二の水路Ｂを流れている水はシーズヒータ１の加熱による直接の影響は受け難い。そのため、第一の水路Ａで温度の変化した水が複数の異なる径の穴２ａから第二の水路Ｂに流入することで効率よく第二の水路Ｂに残留していた水と混合することで排出管５から流れ出る水の温度変化は緩やかにすることができる。
【００１９】
次に、第一の通水管２に設けられている穴径の異なる複数の穴２ａの第二の効果について説明する。
【００２０】
第一の通水管２に設けられている穴径の異なる複数の穴２ａは、給水管３側の穴径より排出管５側の穴径が大きく設けられている。小さい穴２ａ側から第二の水路Ｂに流れ込む水は第一の水路Ａを流れる距離が短く、大きな穴２ａ側から第二の水路Ｂに流れ込む水は第一の水路Ａを流れる距離が長くなる。そのため、第一の水路Ａを流れる距離が長い方がシーズヒータ１に接している時間も長くなるので水温の上昇は大きくなる。しかし、シーズヒータ１に接している時間が長い経路となる穴２ａの穴径を大きくすることで流れる水量を多くしてシーズヒータ１の温度変化による水の温度変化を緩慢としているため、各穴２ａから第二の水路Ｂに流入した異なる温度の水は、第二の水路Ｂ内で効率よく混合されて排出管５から流れ出る水の温度変化は緩やかにすることができる。
【符号の説明】
【００２１】
１  シーズヒータ
２  第一の通水管
２ａ  穴
３  給水管
４  第二の通水管
５  排出管
２０  本体
Ａ  第一の水路
Ｂ  第二の水路
【図１】
2018037248.tif 000003
【図２】
2018037248.tif 000004